(57)【要約】【課題】本発明は製袋方式による方式で低コスト化を計り、従来、この方式によるドリップ性の低さや手軽な使用性を実現しようとするものである。【解決手段】支持体の折り曲げ部分など軽く組み立てられる様にして、又カップ上に高く袋部を位置させドリップ性を高めカップ上での安定性を高め、セットしやすくするものである。【選択図】図４
2019209085.tif 000002
【特許請求の範囲】
【請求項１】
通水性濾過性を有するシート材料１に、あらかじめ厚紙等に防水加工をして構成した支持体２を、シート材料１の端部３を周囲に、のこして貼着し一体に取り付け、このシート材料１を二つ折りにするための二つ折り部線１８を中央に設けており、この支持体２には中央にお湯を注ぐための上方口１７を設け、その内側周囲にはシート材料１に対して同形状でミシン目１３を設けている、二つ折り部線１８を中心として左右に伸びた支持体２には長く伸び出た台形辺８を左右にそれぞれ設け、その先端側には各カップ１９の口部をとらえる、凹部１１を両端側に有し中央部には中央凸部１２を設けている、さらに各凹部１１の両端には各、ガード１０を有している、支持体２で上方口１７を上面として左右の台形辺８で台形型を構成するための折り曲げ線１６を上方口１７の両側に設けており、その上方口１７の上下側には上板部５を有し上方口１７とで台形型の上面側を形成している、この上板部５には端部３側に、さらに伸び出た折り返し辺６を設けており、この折り返し辺６の左右方向には長く伸び出た支持辺４を設けており、上板部５と折り返し辺６の間には二つ折り線１８を伸ばし固定するための折り曲げ部１５を有し、この折り曲げ部１５に対し、折り返し辺６から左右に伸び出た支持辺４と折り返し辺６との間の折り曲げ部７は４５度の角度で構えている、シート材料１と支持体２の各部を一体に貼着しているが、左右の台形辺８は貼着部２０の部分だけであり、このシート材料１と支持体２で構成した全体を二つ折り部線１８から折り曲げ互いの端部３を合わせ一体に各３辺を封じて袋形を構成していることを特徴とするドリップ抽出バッグである。
【請求項２】
折り返し辺６と上板部５とで全体に三角型折り込み部２２を構成していることを特徴とした請求項１記載のドリップ抽出バッグ。
【発明の詳細な説明】
【技術分野】
【０００１】  本発明は飲用容器上に置きセットして使用する、レギュラーコーヒー等の使い捨てタイプのドリップ式抽出バッグであり、通水性濾過性を有したシート材料で構成した、上方に開口部を有した濾過袋であり、この濾過袋に防水加工をした厚紙等の部材で構成した支持体を取り付て設けており、カップ等の飲用容器の口部上に、この支持体で濾過袋を支持し定置させており、この袋内のコーヒー粉に、お湯を注ぎ入れ抽出ドリップし使用するドリップ抽出バッグに関するものである。
【背景技術】
【０００２】  従来、濾過袋をカップ口部上に位置させ定置させるために、濾過袋に取り付けた支持体は、柔軟性のある濾過袋を硬性のある支持体でカップ口部上にカップ口部を支持体が、とらえ濾過袋の袋形を形成しながら、カップ口部上に濾過袋を保持するものであるが、この支持体を多く使用できるタイプの抽出バッグは、濾過袋をカップ上に高く位置させカップ内の湯面に接する事なくドリップ性が高いが、他方で製袋方式である抽出バッグは、濾過シートにあらかじめ支持体を取り付けて貼着しており、このシート状の濾過袋を二つ折りにして、折り目以外の三辺の端部を封じ、中にコーヒー粉を充墳しており、この製袋方式は三辺を封じる工程がある為に、この三辺の端部どうしを貼着する為のスペースを確保しなければならず、このスペースの内側の範囲内だけに支持体の大きさに限定されるため、大きな支持体面積を使用できず、カップ口部上に高く濾過袋を浮かせドリップ性を高める事はできずカップの口部を、とらえ濾過袋をカップ内に位置させる、つり下げ方式的になる傾向にあり、袋部が半分お湯に浸す半分ドリップの方式になり完全ドリップには不向きであるなど課題や制約が多かったが、濾過袋形より外側に支持体が大きく伸び出る事のできるタイプに比較し製袋方式タイプは設備費が１０分の１程度と商品コストの面では大きな利点があった。
【先行技術文献】
【特許文献】
【０００３】
【特許文献１】特許第２５０５９５９号
【特許文献２】特開平１１−１７８７２０
【特許文献３】特許第３７２７２７０号
【特許文献４】特開２００４−１３０１０４
【特許文献５】特開２００９−９６５０７
【発明の概要】
【発明が解決しようとする課題】
【０００４】  それには次のような問題点があった。
（イ）濾過袋をカップ上に位置させるタイプの（特開２００４−１３０１０４）や（特開２００９−９６５０７）は袋の位置が高く、カップ内のお湯に袋の下部が浸る事がなくドリップ性は良いが、生産設備が大規模となる課題があり高コストとなる。
（ロ）それに比較し（特許第２５０５９５９号）や（特開平１１−１７８７２０）や（特許第３７２７２７０号）などの製袋方式の場合では生産設備が１０分の１程度であるため低コストな利点があるが、製袋方式の特徴として濾過性を有したシート材料に、あらかじめ支持体を貼り付けてある状態のシート材料を二つ折りにしながら合わせる三辺の端部を封じながら構成する袋内にコーヒー粉を充墳して行く方式であるため、封じる三辺の端部のスペースを残した内側の範囲内の大きさの支持体であるため、この大きさのサイズの支持体で立体的に全体形を構成し安定させて袋部をカップ内のお湯に浸らない様に濾過袋をカップ上に高く位置させ保持する構造を構成しドリップ性を高めることは難しかった。
（ハ）又、（特許第３７２７２７０号）は支持体の折り目を伸ばしカップ上に台形型を構成し、（特開２００４−１３０１０４）や（特開２００９−９６５０７）は支持体で舟型を形成し、それぞれカップ上に袋部の口を開き保持しているが、（特許第３７２７２７０号）は支持体の折り目を伸ばし固定するために折り返し辺で支持体の折り目を伸ばし固定しているが折り返し辺が元に戻る事があり又、（特開２００４−１３０１０４）や（特開２００９−９６５０７）は三角型の折り込み部で支持体を舟型に開き固定しているが折り込み部の折り曲げ部の折り曲げた部分の反発力で固定した状態を保つためその反発力を超えるとそのまま折れ曲がり強く固定できない課題があった。
【課題を解決するための手段】
【０００５】    本発明では、通水性濾過性を有するシート材料１に、あらかじめ厚紙等に防水加工をして構成した支持体２を、シート材料１の端部３を周囲に、のこして貼着し一体に取り付け、このシート材料１を二つ折りにするための二つ折り部線１８を中心に設けており、この支持体２には中央にお湯を注ぐための上方口１７を設け、その内側周囲にはシート材料１に対して同形状でミシン目１３を設けている、二つ折り部線１８を中央として左右に伸びた支持体２には長く伸び出た台形辺８を左右にそれぞれ設け、その先端側には各カップ１９の口部をとらえる、凹部１１を両端側に有し中央部には中央凸部１２を設けている、さらに各凹部１１の両端には各、ガード１０を有している、支持体２で上方口１７を上面として左右の台形辺８で台形型を構成するための折り曲げ線１６を上方口１７の両側に設けており、その上方口１７の上下側には上板部５を有し上方口１７とで台形型の上面側を形成している、この上板部５には端部３側に、さらに伸び出た折り返し辺６を設けており、この折り返し辺６の左右方向には長く伸び出た支持辺４を設けており、上板部５と折り返し辺６の間には二つ折り線１８を伸ばし固定するための折り曲げ部１５を有し、この折り曲げ部１５に対し、折り返し辺６から左右に伸び出た支持辺４と折り返し辺６との間の折り曲げ部７は４５度の角度で構えている、シート材料１と支持体２の各部を一体に貼着しているが、左右の台形辺８は貼着部２０の部分だけであり、このシート材料１と支持体２で構成した全体を二つ折り部線１８から折り曲げ互いの端部３を合わせ一体に各３辺を封じて袋形を構成していることを特徴とするドリップ抽出バッグである。
【発明の効果】
【０００６】  図３に示す様に、上板部５を下方に押し下さげ二つ折り部線１８を平たく伸ばし、上方口１７の両側に設けた折り曲げ線１６を曲げて支持体２全体が台形型を形成した時に折り曲げ線１６が折り曲げ部１５及び折り曲げ部７は一定の反発力を有しており、この反発力で左右の台形辺８や各、支持辺４が外方向に開こうとする一定の力でシート材料１で構成した袋部２１の下方部側を開き形成し袋部２１の上方口１７側は支持体２の二つ折り部線１８を伸ばし固定する折り返し辺６によって袋部の上部側は形成され、全体として箱型の袋形が各折り曲げ部の反発力で開こうとして形成保持されており、この袋の側壁面２０に貼着され位置した支持辺４は袋の側壁面２０に保持され上方向に伸び位置し折り返し辺６が水平に戻ることを防ぎ上板部５の平面状態を保持している。
【図面の簡単な説明】
【０００７】
【図１】本発明の展開図である。
【図２】本発明の組み立て状態を示す斜視図である。
【図３】本発明の組み立て状態を示す斜視図である。
【図４】本発明の使用状態を示す斜視図である。
【図５】本発明の他の実施例を示す斜視図である。
【発明を実施するための形態】
【０００８】  以下、本発明の実施形態について説明する。
シート材料１に支持体２を一体に貼着し二つ折り部線１８から全体を二つ折りにして三辺の端部３を封じながら中にコーヒー粉を充墳する製袋方式で構成しており、これを使用する時は、上方口１７部のシート材料１に設けたミシン目１３から切り取り上方口１７を開放し上板部５の部分を下方に押し下げる事で全体が箱形の袋形を形成する、左右の台形辺８はシート材料１と貼着部２０によって貼着されており下方側が外方向に開く台形型を構成し、これをカップ１９上にセットしお湯を注ぎ使用する。
【０００９】  図５に示す様に、折り返し辺６と上板部５とで全体に三角型折り込み部２２を構成することでも良く、全体が船型になり上方口１７が湾曲することで大きく開きお湯が注ぎやすくなる利点がある。
【符号の説明】
【００１０】１  シート材料
２  支持体
３  端部
４  支持辺
５  上板部
６  折り返し辺
７  折り曲げ部
８  台形辺
９  下部
１０  ガード
１１  凹部
１２  中央凸部
１３  ミシン目
１４  切断線
１５  折り曲げ部
１６  折り曲げ線
１７  上方口
１８  二つ折り部線
１９  カップ
２０  袋の側壁面
２１  袋部
２２  三角型折り込み部
【図１】
2019209085.tif 000003
【図２】
2019209085.tif 000004
【図３】
2019209085.tif 000005
【図４】
2019209085.tif 000006
【図５】
2019209085.tif 000007